(57)【特許請求の範囲】
【請求項１】
３．５μｍ以下の電磁波の吸収スペクトルを持ち、水素結合を有する塗膜を炉体内部で走行させつつ乾燥させる塗膜乾燥炉であって、炉体の内部に赤外線ヒーターを備え、前記赤外線ヒーターは、フィラメントの外周が３.５μｍ以上の波長の赤外線を吸収するローパスフィルタとして機能する複数の管によって同心円状に覆われ、これらの複数の管の間に赤外線ヒーターの表面温度の上昇を抑制する冷却流体の流路を形成した構造を有するものであることを特徴とする塗膜乾燥炉。
【請求項２】
３．５μｍ以下の電磁波の吸収スペクトルを持ち、水素結合を有する塗膜が、リチウムイオン電池用電極塗膜または太陽光発電用電極塗膜であることを特徴とする請求項１記載の塗膜乾燥炉。
【請求項３】
流体を空気とし、炉体の前半部に配置された赤外線ヒーターを流れる間に加熱された空気を、炉体の後半部において炉内に供給することを特徴とする請求項１記載の塗膜乾燥炉。
【請求項４】
炉体の内壁を赤外線放射率の小さい反射性材料により構成したことを特徴とする請求項１記載の塗膜乾燥炉。
【請求項５】
流体の種類により、赤外線ヒーターの放射波長を制御したことを特徴とする請求項１記載の塗膜乾燥炉。
【請求項６】
フィラメントの外周を覆う管を３重とし、それらの管の間に形成された流体の流路に、互いに逆方向に流体を流したことを特徴とする請求項１記載の塗膜乾燥炉。
【請求項７】
赤外線ヒーター自身の長手方向に、流体供給口と流体排出口をそれぞれ複数個形成したことを特徴とする請求項１記載の塗膜乾燥炉。
【発明の詳細な説明】
【技術分野】
【０００１】
本発明は、リチウムイオン電池用電極塗膜や太陽光発電用電極塗膜などの塗膜の連続乾燥に用いられる塗膜乾燥炉に関するものである。
【背景技術】
【０００２】
リチウムイオン電池用電極塗膜や太陽光発電用電極塗膜等の製造プロセスにおいて、シート表面に塗膜が形成されたワークを加熱乾燥する場合には、図１に示すように炉体１０の内部でワークを移動させながら、炉内に配置された複数本の赤外線ヒーター５０による赤外線加熱や熱風加熱を行う乾燥方法がある。このような炉に用いられる赤外線ヒーター５０としては、図２に示すように中央のフィラメント５１の周囲に保護管５２を配置した構造のものも広く用いられている（特許文献１）。なお５３はフィラメント５１の支持体である。
【０００３】
上記のような塗膜の成分には、分子間に水素結合を有する水や有機溶媒等が含まれている。このため塗膜乾燥炉の生産性を高めるためには、赤外線ヒーター５０から多くの熱量を炉内に放射し、ワークに含有されている水や有機溶媒を速やかに蒸発させることが必要となる。
【０００４】
そこで従来は、図２に示すヒーターを使用する場合では、赤外線ヒーター５０のフィラメント５１の温度を高め、放射エネルギーを増加させる方法を取るのが普通であった。フィラメント５１の温度が高まると、図３に示すように放射スペクトルのピークが短波長側に移行することが知られており、特にフィラメント５１の温度を７００℃以上とすると、放射スペクトルの主波長が近赤外線領域である３．５μm以下となる。この近赤外線は、蒸発を阻害する分子間の水素結合を切断する能力に優れるといわれており、赤外線ヒーター５０のフィラメント５１の温度を高めることはこの点からも効果的である。なお本明細書においては波長が３．５μm以下の領域を近赤外線領域という。
【０００５】
ところが、赤外線ヒーター５０のフィラメント温度を高めると、次第にその周囲を取り巻く保護管５２の温度も上昇し、保護管５２自体が放射体となって赤外線を放射する。例えば保護管５２の温度が３００℃であるとすると、図３に示すように主波長が５μmの赤外線が炉内に放射されることで、ワークと炉壁を加熱することができる。但しその条件ではねらいとする３．５μm以下の近赤外線領域の輻射エネルギーは微々たる量である。そのため、前記の水素結合の切断ができない。当該３．５μｍ以下の輻射エネルギーを増大させようとすると、遠赤外領域の輻射エネルギーも増大し、ワークや炉壁を過熱してしまう。また蒸発した有機溶媒の着火点を越え、爆発事故に至る可能性がある。
【０００６】
なお、特許文献２〜特許文献４には流体加熱用の赤外線ヒーターが記載されている。特許文献２のヒーターはハロゲンヒーターであり、透明石英管の中心に挿入されている。この透明石英管には加熱すべき気体の導入口と噴出口とが形成され、その中を流れる気体を加熱するものである。また特許文献３には、タングステンヒーターをシリカガラス管の内部に封入した放射管をシリカガラスからなる冷却管の内部に装入し、放射管と冷却管との間に形成された通路に加熱すべき液体またはガスを流しながら加熱する赤外線エレメントが記載されている。さらに特許文献４には、ハロゲンランプが封入された第２の中空管を、流体の流入部と流出部とを備えた第１の中空管の内部に装入し、第１の中空管内の流体を加熱するようにした液体加熱器が記載されている。しかしこれらは何れもヒーターの周囲の流路を流れる流体を加熱するためのヒーターであり、炉内のワーク加熱用のものではない。
【０００７】
このほか特許文献５には、炉体の中心に石英保護管を設置してその中に加熱対象物を入れ、その周囲に配置した４つの赤外線ヒーターによって２０００℃程度の高温に加熱する加熱炉が記載されている。ヒーターの外面を覆う保護管が軟化変形することを防止するために冷却空気が用いられている。しかしこの特許文献５も石英保護管の内容物を加熱するためのものであり、炉内のワーク加熱用のものではないうえ、温度域も全く異なるものである。
【０００８】
さらに特許文献６には、反応室内に二重管式ヒーターを配置した気相成長装置が開示されている。この二重管式ヒーターは外側管と内側管との間を空冷することにより表面温度を下げ、ヒーター表面への反応物の不要堆積を防止するとともに、外側管を構成する石英ガラスの熱応力の緩和を図っている。しかしここに開示されているのはバッチ式の気相成長装置であって、３．５μｍ以下の電磁波の吸収スペクトルを持ち、水素結合を有する水や有機溶媒等が含まれる塗膜を連続的に乾燥させる炉ではない。また本気相成長装置では、その炉内壁が間接水冷されており、エネルギー放散が甚大で、特に大型の連続炉では不経済である。このように、出願人が調査した先行技術文献中には、炉内温度の上昇を抑制しながら、水素結合を有する塗膜を効率的に乾燥させる技術は開示されていない。
【先行技術文献】
【特許文献】
【０００９】
【特許文献１】特開２００６−２９４３３７号公報
【特許文献２】特開平８−３５７２４号公報
【特許文献３】特開２００４−２７３４５３号公報
【特許文献４】特許第２５８３１５９号公報
【特許文献５】特開昭５８−１０２４８２号公報
【特許文献６】特開昭６２−９７３２４号公報
【発明の概要】
【発明が解決しようとする課題】
【００１０】
従って本発明の目的は上記した従来の問題点を解決し、炉内温度の上昇を抑制して、ワークに対して分子間の水素結合を切断する能力に優れる近赤外線を集中的に放射して、塗膜を効率よく、連続して加熱乾燥することができる塗膜乾燥炉を提供することである。
【課題を解決するための手段】
【００１１】
上記の課題を解決するためになされた本発明は、３．５μｍ以下の電磁波の吸収スペクトルを持ち、水素結合を有する塗膜を炉体内部で走行させつつ乾燥させる塗膜乾燥炉であって、炉体の内部に赤外線ヒーターを備え、前記赤外線ヒーターは、フィラメントの外周が３.５μｍ以上の波長の赤外線を吸収するローパスフィルタとして機能する複数の管によって同心円状に覆われ、これらの複数の管の間に赤外線ヒーターの表面温度の上昇を抑制する冷却流体の流路を形成した構造を有するものであることを特徴とするものである。なお、３．５μｍ以下の電磁波の吸収スペクトルを持ち、水素結合を有する塗膜は、例えばリチウムイオン電池用電極塗膜または太陽光発電用電極塗膜である。
【００１２】
本発明においては、流体を空気とし、炉体の前半部に配置された赤外線ヒーター流れる間に加熱された空気を、再度炉内に導入することで、ワークから揮発する溶剤を効率よく炉外へ排気できる。また、炉体の内壁を赤外線放射率の小さい反射性材料により構成することが好ましい。また、流体の種類により、赤外線ヒーターの放射波長を制御することができる。このほか、フィラメントの外周を覆う管を３重とし、それらの管の間に形成された流体の流路に、互いに逆方向に流体を流すことができる。さらに、赤外線ヒーター自身の長手方向に、流体供給口と流体排出口をそれぞれ複数個形成することもできる。
【発明の効果】
【００１３】
本発明の塗膜乾燥炉は、フィラメントの外周が３.５μｍ以上の波長の赤外線を吸収するローパスフィルターとして機能する管によって同心円状に覆われ、これらの複数の管の間に流体の流路を形成した構造を有する赤外線ヒーターを炉体の内部に備える。この赤外線ヒーターはフィラメントを７００℃以上１２００℃以下の高温にして選択的に塗膜の乾燥に効果的な３．５μｍ以下の短波長のピーク波長を調節した赤外線を放射することができ、ロール  トゥ  ロールのような連続炉においても十分な乾燥を可能とする。また、分子間の水素結合の切断に寄与する３．５μｍ以下の波長のみを選択するため、３．５μｍより大きい長波長による炉内温度上昇が起こらず、効率的な塗膜の乾燥が可能となる。また、結果的にヒーター表面温度を低減できるので、リチウムイオン電池の電極乾燥工程で発生する爆発性揮発物に対して、発火の懸念なく使用することができる。
【００１４】
なお、図５に示すような赤外線ヒーターの通路１６を流れる間に加熱された空気を炉体の後半部において炉内に熱風として供給すれば、炉体の後半部分におけるワーク温度の高温化が防止され、乾燥炉出口での室温との急激な温度変化による熱収縮も防ぐことができ、エネルギーの無駄がなくなる。さらに炉体の内壁を赤外線放射率の小さい反射性材料により構成すれば、炉壁が赤外線を吸収して炉壁自体が発熱体となることが防止でき、炉内雰囲気温度の抑制に効果的である。
【図面の簡単な説明】
【００１５】
【図１】従来の塗膜乾燥炉の説明図である。
【図２】従来の赤外線ヒーターの断面図である。
【図３】赤外線ヒーターの放射スペクトルを示すグラフである。
【図４】本発明の第１の実施形態を示す説明図である。
【図５】第１の実施形態に用いられる赤外線ヒーターの断面図である。
【図６】第１の実施形態に用いられる赤外線ヒーターの断面図である。
【図７】赤外線ヒーターの放射スペクトルを示すグラフである。
【図８】赤外線ヒーターの表面温度と放射スペクトルの関係を示すグラフである。
【図９】本発明の第２の実施形態を示す説明図である。
【図１０】本発明の第３の実施形態を示す説明図である。
【図１１】本発明の第４の実施形態を示す説明図である。
【図１２】本発明の第５の実施形態の説明図である。
【図１３】具体的な赤外線ヒーターの断面図である。
【発明を実施するための形態】
【００１６】
以下に本発明の実施形態を詳細に説明する。
図４は本発明の第１の実施形態を示す説明図である。１０は塗膜乾燥炉の炉体であり、その内部をフィルム状のワークＷが一方向に連続的に移動しながら連続的に乾燥される。フィルム状のワークＷの表面には、３．５μｍ以下の電磁波の吸収スペクトルを持ち、水素結合を有する塗膜が形成されている。この実施形態では、塗膜はリチウムイオン電池用電極塗膜である。
【００１７】
リチウムイオン電池の電極は、正極材または負極材である活物質の粉末（電極材）を、バインダと導電材と溶剤とともに混練した電極材ペーストを、アルニウムや銅等の金属シート上に塗布して厚みが１００μｍ〜３００μｍ前後の塗膜を形成したうえ、乾燥させて製造されている。電極材は正極材としてはコバルト酸リチウム、バインダとしてはＰＶＤＦ、導電材としてはカーボン、溶剤としてはＮＭＰが一般的である。この実施形態では正極用の電極材としてコバルト酸リチウムを用いたが、ニッケル酸リチウム、マンガン酸リチウムであってもよい。また負極用の電極材は例えばグラファイトである。これらは何れも微細な粉末である。
【００１８】
バインダは前記したように電極材と導電材としてのカーボン粉末とを接着するための成分であり、この実施形態ではＰＶＤＦ（ポリフッ化ビニリデン）である。溶剤はこの実施形態ではＮＭＰ（Ｎ−メチル−ピロリドン）である。しかしバインダや溶剤の種類はこれに限定されるものではなく、リチウムイオン電池用電極塗膜の構成材料として公知の各種の物質を用いることができる。
【００１９】
炉体１０の前半部の第１ゾーン２１と第２ゾーン２２の炉内天井には、赤外線ヒーター１１が、適宜の間隔で配置されている。この赤外線ヒーター１１は、図５、図６に示すように、フィラメント１２の外周が複数の管１３、１４によって同心円状に覆われ、これらの複数の管の間に流体の流路を形成した構造のものである。内側の管１３はフィラメント１２の保護管であり、石英ガラスやホウ珪酸クラウンガラスなどの赤外線透過性の保護管である。また外側の管１４は内側の管１３の外周に流体を流すための管であり、これらの保護管は図７に示すように３.５μｍ以上の波長の赤外線を吸収するローパスフィルタとしての機能を有するものである。材質としては、石英ガラスやホウ珪酸クラウンガラスなどがあるが、耐熱性、耐熱衝撃性、経済性に優れた保護管としては、石英ガラス管を用いることが好ましい。
【００２０】
製品物性に起因する上限温度が定められた乾燥炉内において、塗膜の乾燥に効果的であると考えられる短波長（３．５μｍ以下）の赤外線ふく射が支配的になるように制御することは実際には容易ではない。その理由として、プランクの放射法則により、当該波長域を主体とする放射体の温度が最低でも７００℃を超える高温になるという点があげられる。通常の乾燥炉内において、発火性の揮発有機溶剤と接するヒーターの表面温度が７００℃を超えるのは許容されないし、仮に許容されたとしても、放射の理論面から以下のような問題点が推察される。まず当該高温の放射体からは、たしかに短波長の放射が優先的に放射されるが、一方でステファン・ボルツマンの法則により、単位面積あたりの放射エネルギーも莫大なものになる。そうすると、最終的には炉内各部において必要以上の温度上昇を招き、特に省エネルギー性や、搬送停止時における製品の耐熱性の面から、大量生産目的の乾燥プロセスとして成立させることが不可能であった。
【００２１】
これに対して図５、図６に示した形状のヒーターにおいては、放射体が細いフィラメント形状をなしているため放射面積および熱容量がともに小さく、ヒーター１本あたりで見た場合「短波長の赤外線を少量放射する」という放射源としての特徴を持つことを意味する。すなわち、当該フィラメント自身の温度上昇が容易で、当該フィラメントの温度を変更し、さらにはヒーター設置本数（ピッチ）の調整により、炉内単位体積中での放射面積（総エネルギー生成量）の制御も容易である。また、７００℃〜１２００℃で通電しているフィラメントは通電を停止すれば瞬時に温度が低下するため、搬送停止時における安全性もきわめて高い。当該特徴に加えさらに管の冷却機構を導入することにより、前述の各問題が解消され、幅広い用途を前提とした乾燥炉内のふく射の波長制御が可能になる。
【００２２】
フィラメント１２は７００〜１２００℃に通電加熱され、波長が３μｍ付近にピークを持つ赤外線を放射するが、石英ガラスやホウ珪酸クラウンガラスなどは、３.５μｍ以下の波長の赤外線を透過し、３.５μｍ以上の波長の赤外線を吸収するローパスフィルタとしての機能を有するため、管１３および管１４はフィラメント１２から放射された電磁波のうち、波長が３.５μｍ未満の赤外線を選択的に透過して炉内に供給する。この波長領域の赤外線エネルギーはＮＭＰ等の溶剤に直接吸収され熱に変換されやすく、また溶剤ないし水の分子間における水素結合の振動数とも合致するため、リチウムイオン電池用電極塗膜を効率よく乾燥させることができる。
【００２３】
しかし管１３および管１４は、３.５μｍよりも長波長領域においては逆にふく射の吸収体となり、赤外線エネルギーを吸収することによりそれ自体が昇温する。前述の温度におけるフィラメント１２からは３.５μｍよりも長波長領域の赤外線も相当量放射されているため、そのままでは管温度（発火性の揮発有機溶剤との接点の温度）が上昇する懸念が生ずる。またその結果、管自身も赤外線の放射体となり、主として３.５μｍよりも長波長の赤外線を炉内に二次放射する。このような長波長の赤外線は、３μｍ付近の赤外線に比較するとやや乾燥効果への寄与低下が考えられるのみならず、炉内壁における当該赤外線の吸収による壁温度上昇を経由して炉内流体温度をも上昇させ、リチウムイオン電池用電極塗膜においては炉内各部の温度を溶媒の着火点以上に上昇させる恐れがある。
【００２４】
そこで本発明では管１３と管１４との間の空間１６に流体を流し、管１３および管１４に一旦吸収された長波長領域の赤外線のエネルギーを、対流熱伝達の形で変換して前記流体に伝達し系外に除去することが可能になる。その結果、最終的に炉内に供給される赤外線の波長を短波長域に限定するとともに、フィラメント１２が高温で継続的に通電加熱されている状況においても、管１３および管１４、とりわけリチウムイオン電池用電極塗膜においては、揮発有機溶剤と直接接触する管１４を安全温度である（溶剤の着火点以下である）２００℃以下、より好ましくは１５０℃以下に維持することが可能になる。流体は例えば空気、不活性ガスなどであるが、本実施形態では流体供給口１７から空気を吹き込み、加熱された空気を流体排出口１８から取り出している。なお、流体排出口１８から取り出された空気は、条件にもよるが１００℃以上の熱風となる場合もあるから、後半部のフローティング搬送用の熱風の一部として熱風スリット２０から炉内に供給することが好ましい。
【００２５】
このような構造の赤外線ヒーター１１は、波長が３.５μｍ未満の赤外線を選択的に炉内に供給することができ、しかも赤外線ヒーター１１の表面温度は例えば２００℃以下の低温に保たれているので、炉内温度を２００℃以下、より好ましくは１５０℃以下とすることができる。このため溶剤の着火や爆発などの恐れがない。また炉体１０の内壁を赤外線放射率の小さい反射性材料により構成すれば、炉壁の昇温をより効果的に抑制することができる。そのような材料としては例えば、光沢のあるステンレス鋼板を使用することができる。
【００２６】
上記した赤外線ヒーター１１のほか、前半部の第１ゾーン２１と第２ゾーン２２の炉内には、熱風をリチウムイオン電池用電極塗膜に向かって吹き付けるための熱風スリット１９が多数配置されている。天井部の熱風スリット１９は赤外線ヒーター３１の間から熱風を吹き付けるように配置されている。下側の熱風スリット２０はリチウムイオン電池用電極塗膜の下面に向かって熱風を吹き付ける。
【００２７】
この実施形態の塗膜乾燥炉では、図４に示す第１ゾーン２１を初期状態とし、第２ゾーン２２を中期状態とし、第３ゾーン２３と第４ゾーン２４を終期状態としてリチウムイオン電池用電極塗膜の乾燥を行うものであり、それに応じて各ゾーンにおける赤外線ヒーター１１の温度、熱風温度などを個別に制御することはいうまでもない、なおこの実施形態では第３ゾーン２３と第４ゾーン２４には赤外線ヒーター１１が配置されておらず、熱風のみによる乾燥を行っているが、赤外線ヒーター１１をより広い範囲で配置することもできる。
【００２８】
代表的なヒーターの設定例を表１と表２に示す。ヒーター表面温度の設定温度としてはフィラメント温度ではなく外側の管１４の温度を示す。放射赤外線の主体部分は中心のフィラメントから放射され、管１４を透過して外部に出てくるものなので、管１４の温度が低くとも加熱効果において全く問題ない。むしろ、前述したようにヒーターの炉内流体との接触部が安全温度以下に保たれていることを示す。実際の運用時には、ヒーターへの通電量（ｗ）、気体流量により制御することも可能である。
【００２９】
【表１】
0004790092.tif 000002
【００３０】
【表２】
0004790092.tif 000003
【００３１】
なお、太陽光発電用電極塗膜もやはり３．５μｍ以下の電磁波の吸収スペクトルを持ち、水素結合を有する塗膜であるので、上記したリチウムイオン電池用電極塗膜と同様に本発明の塗膜乾燥炉で乾燥させることができる。
【００３２】
また本発明においては、流体の種類や流量を任意に制御することもできる。図８に示すように流体の流量を増減することによって、赤外線ヒーター１１の表面温度を変更し、３．５μｍ以上の放射スペクトルを調整することができる。これを利用して、赤外線ヒーター１１の放射波長同一としつつ、炉体の長手方向で温度バランスを変化させることが可能となる。例えば分子間の水素結合を積極的に切断する必要のあるゾーンでは赤外線ヒーター１１の冷却を強化して近赤外線をワークＷに放射し、その後は冷却を緩和してワーク全体を昇温させるという使い分けが可能となる。
【００３３】
図９は本発明の第２の実施形態の説明図であり、赤外線ヒーター１１がその長手方向に複数の流体供給口１７と流体排出口１８とを備えた構造である。図９では中央の２箇所に流体供給口１７が設けられ、流体は外側に向かって流れて両端部の流体排出口１８から排出される。
【００３４】
図１０は本発明の第３の実施形態の説明図であり、赤外線ヒーター１１の平面図である。この第３の実施形態では１本の赤外線ヒーター１１は端部に流体の流体供給口１７と流体排出口１８とを１個ずつ備えているが、流体の流れる方向を交互に逆方向に設定してある。これによって赤外線ヒーター１１の炉幅方向に温度勾配があっても、ワークＷへの影響を緩和することが可能となる。
【００３５】
図１１は本発明の第４の実施形態の説明図であり、炉体１の前半部分に配置された各赤外線ヒーター１１から空気をヘッダー２５に回収し、炉体１の後半部分に配置された供給口２０から炉体１の内部に吹き込む。各赤外線ヒーター１１の流路１６を通過した流体は１００〜２００℃程度に加熱されているため、これを炉体１の他のゾーンに吹き込むことにより、炉内の温度分布を乱すことなく、炉内の溶媒ガスを押し出すことができ、炉体の後半部分におけるワーク温度の高温化が防止され、乾燥炉出口での室温との急激な温度変化による熱収縮も防ぐことができる。
【００３６】
図１２は本発明の第５の実施形態の説明図であり、フィラメント１２の外周を覆う管を３重としたものである。それらの管の間に形成された２つの流体の流路１６に、異種の流体を流すことも、同種の流体を流すこともできる。何れの場合にも流体の流れ方向を外側と内側とで逆方向にすれば、赤外線ヒーター１１の長さ方向の温度分布を均一化できる効果が得られる。
【００３７】
上記したように、本発明ではフィラメント１２の外周が複数の管１３、１４によって同心円状に覆われた赤外線ヒーター１１を使用するが、工業的に使用するためには上記した機能が確実に得られるほかに、できるだけ安価に製作することができ、メンテナンスが容易であり、しかも安全性に優れることが求められる。図１３はより具体的な赤外線ヒーター１１の構造を示す図である。この赤外線ヒーター１１は、外側の管１４の両端部を一対の有底筒状体３０により保持させたものである。外側の管１４は石英ガラス管であり、有底筒状体３０は好ましくは金属製である。有底筒状体３０は円筒部の外側端にキャップ３１を気密に取り付けたものである。これらの有底筒状体３０の内部にはホルダー３２が配置されており、これらのホルダー３２により内側の管１３が外側の管１４の中心位置に支持されている。内側の管１３は石英ガラス管の内部にフィラメント１２を備えたもので、市販の直管ヒーターをそのまま使用することができる。
【００３８】
これらの有底筒状体３０はそれぞれ流体出入口３３を備えている。空気などの流体はいずれか一方の有底筒状体３０の流体出入口３３から供給され、外側の管１４と内側の管１３との間に形成された流体の流路１６を通過する間にこれらの管１３、１４を冷却し、他方の有底筒状体３０の流体出入口３３から排出される。
【００３９】
また、これらの有底筒状体３０には短管状の配線引出部３４が設けられている。内側の管１３のフィラメント１２につながる電気配線３５は配線引出部３４を通して外部に引き出されるが、配線引出部３４に封止部３６を形成することによって、有底筒状体３０の内外を遮断し、炉内雰囲気が電気配線３５と直接接触することを防止している。フィラメント１２の近傍は高温となるため、この構造によって炉内雰囲気との接触をなくし、爆発事故の危険を防止している。
【００４０】
このような構造の赤外線ヒーター１１は、市販の直管ヒーターをそのまま使用することができ、必要な流量に応じた太さの石英管と組み合わせることによって、比較的安価に製作可能である。またフィラメント１２が断線した場合にも、キャップ３１を取り外して内側の管１３を抜き出すことによって容易に交換可能であるから、メンテナンス性に優れる。また流量調整も容易に行うことができ、赤外線ヒーター１１の表面温度の制御が容易である。さらに有底筒状体３０、３０の内部は流体が通過しているため、電気配線３５の封止部３６も過度に加熱されることがない。上記の赤外線ヒーター１１は、一対の有底筒状体３０を炉壁の外部に位置するように配置すれば、メンテナンス性が高まるとともに、流体の打ち込みや排出も容易となる。
【実施例】
【００４１】
長さが４ｍの炉体を前後２ｍずつに区画し、前側の２ｍの部分の炉内天井部に、０．１ｍピッチで図２に示した断面構造の赤外線ヒーターを１９本配置した。炉室の高さは０．３ｍであり、赤外線ヒーターの設置高さは０．２５ｍである。また各赤外線ヒーターの外周管の材質は石英ガラスであり、その直径は２０ｍｍである。赤外線ヒーターのフィラメント温度を８５０℃とし、その外周に空気を流して赤外線ヒーターの外表面温度を１８７℃に維持した。なお投入した空気は、流入時は２０℃であるが赤外線ヒーターから出たときには１２９℃になっていた。赤外線ヒーターから放射される赤外線のスペクトルを測定したところ、ピーク波長が３．２μｍの近赤外線が放射されていた。また炉壁の温度は１８３℃で定常状態となり、溶剤爆発の危険がある２００℃よりも低温に維持することができた。
【００４２】
なお、従来型の乾燥炉では炉壁の温度を２００℃以下に維持するためにはヒーター温度を４６０℃としなければならず、この場合にはピーク波長は４．２μｍとなっていた。従来型の塗膜乾燥炉は溶剤蒸気が爆発するおそれがあるため、塗膜乾燥には使用することができない。
【符号の説明】
【００４３】
Ｗ  ワーク
１０  炉体
１１  赤外線ヒーター
１２  フィラメント
１３  管
１４  管
１６  空間
１７  流体供給口
１８  流体排出口
１９  熱風スリット
２０  熱風スリット
２１  第１ゾーン
２２  第２ゾーン
２３  第３ゾーン
２４  第４ゾーン
２５  ヘッダー
３０  有底筒状体
３１  キャップ
３２  ホルダー
３３  流体出入口
３４  配線引出部
３５  電気配線
３６  封止部
５０  従来の赤外線ヒーター
５１  フィラメント
５２  保護管
５３  支持体
【要約】
【課題】炉内温度の上昇を抑制して、ワークに対して分子間の水素結合を切断する能力に優れる近赤外線を集中的に放射して、塗膜を効率よく、連続して加熱乾燥することができる塗膜乾燥炉を提供する。
【解決手段】リチウムイオン電池用電極塗膜のような、３．５μｍ以下の電磁波の吸収スペクトルを持ち、水素結合を有する塗膜を炉体内部で走行させつつ乾燥させる塗膜乾燥炉である。炉体１０の内部に配置される赤外線ヒーター１１が、フィラメント１２の外周がローパスフィルターとして機能する管１３、１４によって同心円状に覆われ、これらの複数の管の間１６に流体の流路を形成した構造を有するものである。これにより炉内温度の上昇を抑制して有機溶媒蒸気の爆発を防止しながら、ワークに対して分子間の水素結合を切断する能力に優れる３．５μｍ以下の近赤外線を集中的に放射して、塗膜を効率よく加熱乾燥する。
【選択図】図４【図１】
0004790092.tif 000004
【図２】
0004790092.tif 000005
【図３】
0004790092.tif 000006
【図４】
0004790092.tif 000007
【図５】
0004790092.tif 000008
【図６】
0004790092.tif 000009
【図７】
0004790092.tif 000010
【図８】
0004790092.tif 000011
【図９】
0004790092.tif 000012
【図１０】
0004790092.tif 000013
【図１１】
0004790092.tif 000014
【図１２】
0004790092.tif 000015
【図１３】
0004790092.tif 000016